(57)【要約】【課題】      本発明の課題は、できるだけ簡単な構成に基き安価で製造できるような、ドア枠（２）とドア扉（１）との間の被覆構造体のための、形状が安定したドアヒンジを提供することである。【解決手段】  ヒンジ湾曲部材（４）が同じ構造の連結部材として形成されており、このヒンジ湾曲部材が連結ウェブ（７）と垂直に整向された脚部（８）を有するＵ字形状を備えていること、およびヒンジ湾曲部材（４）が一種の差込み結合様式で接続され、かつ連結ウェブ（７）に旋回可能に連結していることにより解決される。【選択図】    図１
2005256597.tif 000002
【特許請求の範囲】
【請求項１】
ドア枠とドア扉の間の被覆構造体のためのドアヒンジであって、
二個の収容体（３）を備え、この収容体がドア枠（２）の凹部とドア扉（１）の凹部とに挿入可能であり、
更に、協働する対のヒンジ湾曲部材（４）を備え、このヒンジ湾曲部材が垂直な回転軸線（５）を中心にして回転可能に連結されており、
この場合、収容体（３）において各々一方のヒンジ湾曲部材（４）の端部が垂直軸線を中心にして旋回可能に支承され、他方のヒンジ湾曲部材の端部が縦方向に移動可能に案内されている、ドアヒンジにおいて、
ヒンジ湾曲部材（４）が同じ構造の連結部材として形成されており、このヒンジ湾曲部材が連結ウェブ（７）と垂直に整向された脚部（８）とを有するＵ字形状を備えていること、および
ヒンジ湾曲部材（４）が一種の差込み結合様式で接続され、かつ連結ウェブ（７）に旋回可能に連結していることを特徴とするドアヒンジ。
【請求項２】
ヒンジ湾曲部材（４）が、プラスチックあるいは金属でできた鋳造部品として形成されていることを特徴とする請求項１記載のドアヒンジ。
【請求項３】
ヒンジ湾曲部材（４）の間のリンク接続部（９）が、スリーブ（８）とこのスリーブ内に挿入可能なピンから成ること、および
ヒンジ湾曲部材の連結ウェブ（７）が選択的にスリーブあるいはピンが挿入可能な孔（１２）を備えていることを特徴とする請求項１または２に記載のドアヒンジ。
【請求項４】
孔（１２）がめくら孔として形成されていることを特徴とする請求項３記載のドアヒンジ。
【請求項５】
収容体（３）に支承された軸（１３，１４）が、ドアヒンジが開放運動する際、全てのドアヒンジの機能位置において、２軸のオフセット量（ａＸ，ａＹ）を互いに備えていることを特徴とする請求項１〜４のいずれか一つに記載のドアヒンジ。
【請求項６】
取付け空域を適切に利用するための、収容体（３）に設けられた縦方向案内部（１５）が、斜めに整向されていることを特徴とする請求項１〜５のいずれか一つに記載のドアヒンジ。
【請求項７】
収容体内（３）に、調節可能なインサート（６，６‘）が設けられており、このインサートにヒンジ湾曲部材（４）の両端部が支承され、かつ縦方向に可動に案内されていることを特徴とする請求項項１〜６のいずれか一つに記載のドアヒンジ。
【請求項８】
一方の収容体のインサート（６，６‘）が、収容体の案内凹部内で、水平方向および／または垂直方向に調節可能に設けられていること、および
もう一方の収容体のインサートが、収容体の正面側に対して垂直に調節可能に設けられていることを特徴とする請求項７記載のドアヒンジ。
【発明の詳細な説明】
【技術分野】
【０００１】
本発明は、ドア枠とドア扉の間の被覆構造体のためのドアヒンジに関し、更に詳しくは、二個の収容体を備え、この収容体がドア枠の凹部とドア扉の凹部とに挿入可能であり、
更に、協働する対のヒンジ湾曲部材を備え、このヒンジ湾曲部材が垂直な回転軸線を中心にして回転可能に連結されており、
この場合、収容体において各々一方のヒンジ湾曲部材の端部が垂直軸線を中心にして旋回可能に支承され、他方のヒンジ湾曲部材の端部が縦方向に移動可能に案内されている、ドアヒンジに関する。
【背景技術】
【０００２】
記載された構成のドアヒンジは、特許文献１から公知である。公知の実施形態の場合、ヒンジ湾曲部材は各々、ドアヒンジの垂直領域に渡って半分ずつ延びており、この場合ドア扉の高さ調節のために、ヒンジ湾曲部材間の間隔は可変である。そのために、ヒンジ湾曲部材間の回転軸は調節ネジとして形成されている。公知の構造の形状安定性には、改良が必要である。このドアヒンジは軽量のドア扉、例えば家具の分野のドア扉に組込むのに適している。
【０００３】
特許文献２から、ドア枠とドア扉の間の被覆構造体のための、重いドア扉に適したドアヒンジが公知である。互いに回転運動可能に連結されたヒンジ湾曲部材が様々に形成されている。一方のヒンジ湾曲部材は二叉状に形成されており、かつ後方の連結部分に接続された二叉アームを備えている。他方のヒンジ湾曲部材は、二叉アームの間の自由空間に挿入されており、かつ二叉アームに回転運動可能に支承された中央部分を備え、この中央部分の両端部に、幅広で上方および下方に突出する端部分が接続する。ドアヒンジは機能的な観点で認められた。しかしながら、製造コストと組立コストは高い。というのも様々な部材を製造しなければならないし、一方のヒンジ湾曲部材の両二叉アームにリンク接合部を設けなければならないからである。軸受穴を両二叉アーム内に設けかつ所属したリンク接合部を取付けるには、加工段階および作業段階が必要である。
【特許文献１】欧州特許出願公開第１０６３３７６号明細書
【特許文献２】ドイツ実用新案第２０２１３１５５号明細書
【発明の開示】
【発明が解決しようとする課題】
【０００４】
本発明の根底をなす課題は、できるだけ簡単な構成に基き安価で製造できるような、ドア枠とドア扉との間の被覆構造体のための、形状が安定したドアヒンジを提供することである。
【課題を解決するための手段】
【０００５】
冒頭で記載した特徴を備えたドアヒンジから出発して、上記の課題は、本発明によれば、ヒンジ湾曲部材が同じ構造の連結部材として形成されており、このヒンジ湾曲部材が連結ウェブと垂直に整向された脚部を有するＵ字形状を備えていること、および
ヒンジ湾曲部材が一種の差込み結合様式で接続され、かつ連結ウェブ７に旋回可能に連結していることにより解決される。連結部材は、その連結ウェブならびに垂直に整向された脚部の寸法が対応している場合、形状的に剛性が高い。連結部材は、収容体間のギャップを架橋し、かつ上側並びに下側でも、収容体まで直接近づいて到達し、従ってわずかな間隙の間隔だけを架橋する短いピンにおける支承が行われる。
同じ構造のヒンジ湾曲部材は、プラスチックあるいは金属でできた鋳造部品として安価に製造することができる。
ヒンジ湾曲部材の間のリンク接続部は、スリーブとこのスリーブ内に挿入可能なピンから成る。本発明の好ましい実施形態によれば、ヒンジ湾曲部材の連結ウェブは選択的にスリーブあるいはピンが挿入可能な孔を備えている。孔はめくら孔として形成されており、そこにおいてスリーブまたはピンは失われること無く設けられている。
【０００６】
他の実施形態において、本発明は、収容体に支承された軸が、ドアヒンジが開放運動する際、全てのドアヒンジの機能位置において、２軸のオフセット量を互いに備えていることを示している。これにより、特にドアヒンジの開放位置において、ドア扉の所望していない傾斜運動を回避することができる。
【０００７】
収容体に設けられた縦方向案内部は、収容体の正面側に対して垂直に設けることができる。しかしながら、収容体に設けられた縦方向案内部が斜めに整向されていると、今ある
取付け空域を適切に利用することができる。
【０００８】
収容体内に、適切に調節可能なインサートが設けられており、このインサートにヒンジ湾曲部材の両端部が支承され、かつ縦方向に可動に案内されている。インサートの調節ができることは、ドアヒンジの二次元的あるいは三次元的な調節に役立つ。本発明の好ましい実施形態によれば、一方の収容体のインサートは、収容体の案内凹部内で、水平方向および／または垂直方向に調節可能に設けられている。もう一方の収容体のインサートは、収容体の正面側に対して垂直に調節可能である。
【発明を実施するための最良の形態】
【０００９】
以下に、本発明を実施例に示した図だけに基づき詳しく説明する。
【実施例】
【００１０】
図に示したドアヒンジは、ドア枠２におけるドア扉１の運動可能な姿勢に役立つ。ドアが閉じている時、ドアヒンジは覆われて設けられている。このドアヒンジは住居空間内の部屋のドアに適している。
【００１１】
図に示したドアヒンジの基本的構造体には、ドア枠２の凹部とドア扉１の凹部に挿入可能な２個の収容体３と、垂直な回転軸線５を中心に回転可能に連結された対をなして協働するヒンジ湾曲部材４が含まれる。収容体３内には、インサート６，６‘が設けられ、このインサートには各々、一方のヒンジ湾曲部材の端部が垂直軸線を中心に旋回可能に支承され、他方のヒンジ湾曲部材の端部は縦方向に移動可能に案内されている。
【００１２】
図１と３とを比べて観ると、ヒンジ湾曲部材４が同じ構造の連結部材として形成されており、この連結部材が連結ウェブ７と垂直に整向された脚部８を有したＵ字型形状を備えていることが見て取れる。ヒンジ湾曲部材４は一種の差込み結合様式で接続され、かつ連結ウェブ７に回転可能に連結している。ヒンジ湾曲部材は鋳造部品としてプラスチックあるいは金属から製造することができる。
【００１３】
ヒンジ湾曲部材４の間のリンク接続部９は、スリーブとこのスリーブ内に挿入可能なピンから成る。ヒンジ湾曲部材４の連結ウェブ７は、選択的にスリーブまたはピンが挿入可能な孔１２を含む。実施例において、孔１２はめくら孔として形成されており、そこにおいてスリーブまたはピンは失われること無く設けられている。
【００１４】
図２から、収容体３に支承された軸１３，１４が、ドアヒンジが開放運動する際、機能位置、特に図２に示した開放位置においても、２軸のオフセット量を互いに備えていることがわかる。２軸のオフセット量ａＸ，ａＹは、開いたドア扉１の所望していない傾斜運動が不可能であることに役立っている。さらに図２から、取付け空域を適切に利用するための、収容体３に設けられた縦方向案内部１５が、斜めに整向されていることがわかる。
【００１５】
実施例において、一方の収容体のインサート６は、収容体３の凹部内において水平方向に調節可能に設けられている。もう一方の収容体のインサート６‘は、この収容体の正面側に対して垂直に調節可能である。インサート６，６’を調節することにより、ドア扉１は軸方向ＸとＹに調節可能である。
【００１６】
収容体３はネジで固定するための孔１７，１８を有する固定フランジを正面側に備えている。実施例において、収容体の正面側には長孔１８が設けられており、従ってドア枠２あるいはドア扉１における高さ方向の調節が可能である。
【００１７】
調節の選択肢が様々であることにより、高さに関するドア扉の調節を行うことができ、同様に戸閉め状態におけるドア扉とドア枠２との間の遊びを修正することができる。調節は全て正面側から、それと同時にドアヒンジが取付けられた状態で行うことができる。
【図面の簡単な説明】
【００１８】
【図１】ドア枠とドア扉の間の被覆構造体のためのドアヒンジを示す図である。
【図２】ドア開放時の、図１に示したドアヒンジの平面図である。
【図３】ヒンジ湾曲部材の個別部品を示す図である。
【符号の説明】
【００１９】
１      ドア扉
２      ドア枠
３      収容体
４      ヒンジ湾曲部材
５      回転軸線
６      インサート
６‘    インサート
７      連結ウェブ
８      脚部
９      リンク接続部
１３    軸
１４    軸
１５    縦方向案内部材
【図１】
2005256597.tif 000003
【図２】
2005256597.tif 000004
【図３】
2005256597.tif 000005